(57)【要約】      （修正有）【課題】天井等から吊り下げるタイプのタペストリーは、足場を組み高所での交換作業を行うことになり、労力を要すると共に、安全上の問題も多い。そこで、天井等から吊り下げるタイプのタペストリーを簡単に交換可能なタペストリー吊り下げ具を提供する。【解決手段】タペストリー吊り下げ具は、複数のワイヤー取り付け装置１と、当該ワイヤー取り付け装置１を構成するワイヤー２０の一方端間に掛け渡される取り付け部材５０とにより成る。ワイヤー取り付け装置１は、ケースを構成する上蓋に設けた孔部にネジを貫通させることで天井面に固定し、ケース内にワイヤー２０と、ワイヤー巻き取り用ドラムと、当該ワイヤー巻き取り用ドラムをワイヤー巻き取り方向に付勢するゼンマイばね構造体とを備える。【選択図】図１
0003208639.tif 000002
【実用新案登録請求の範囲】
【請求項１】
ケース内にワイヤーと、ワイヤー巻き取り用ドラムと、当該ワイヤー巻き取り用ドラムをワイヤー巻き取り方向に付勢するゼンマイばね構造体とを備えたワイヤー巻き取り装置を複数備えると共に、複数のワイヤーで棒状の取り付け部材を支持することを特徴とするタペストリー吊り下げ具。
【考案の詳細な説明】
【技術分野】
【０００１】
本考案はパチンコ機等の遊技機を備えた遊技施設内に、装飾品として装備されるタペストリーを設置するためのタペストリー吊り下げ具に関する。
【背景技術】
【０００２】
パチンコ機やスロットマシーンなどの遊技機を備えた遊戯施設内には、店内雰囲気の活性化を図るため、遊技機やその設置島の上方にハンガーやスタンドを取り付け、当該ハンガーやスタンドにタペストリーを飾ることが広く行われている。あるいは遊技施設の天井からタペストリーを吊り下げることもある。
【０００３】
特許文献１には幟竿に挟持片を設けることで、簡単に遊技施設内に装飾される幟の交換を可能とした発明が開示されている。
【０００４】
特許文献２には遊技機の上部に固定する固定部と挟持部とからなり、該挟持部に広告宣伝用の文字や模様が描かれたタペストリー等の広告体を嵌め込むことで簡単に広告体を取替え可能とした遊技機用の広告媒体が開示されている。
【先行技術文献】
【特許文献】
【０００５】
【特許文献１】特開２００６−１１９１６１号公報
【特許文献２】特開２００８−１８３０８４号公報
【考案の概要】
【考案が解決しようとする課題】
【０００６】
遊技機は流行の変化が激しく、頻繁に新たな遊技機が導入されることが多い。その都度宣伝用のタペストリーを交換する必要が生じる。
【０００７】
かかる取替え時において、天井等から吊り下げるタイプのタペストリーは、足場を組み高所での交換作業を行うことになる。かかる作業は労力を要すると共に、安全上の問題も多い。
【０００８】
そこで本考案は、天井等から吊り下げるタイプのタペストリーを簡単に交換可能なタペストリー吊り下げ具を提供することを目的とする。
【課題を解決するための手段】
【０００９】
上記の目的を達成する本考案の構成は次の通りである。
【００１０】
ケース内にワイヤーと、ワイヤー巻き取り用ドラムと、当該ワイヤー巻き取り用ドラムをワイヤー巻き取り方向に付勢するゼンマイばね構造体とを備えたワイヤー巻き取り装置を複数備えると共に、複数のワイヤーで棒状の取り付け部材を支持することを特徴とするタペストリー吊り下げ具。
【考案の効果】
【００１１】
上記のように構成される本考案が、如何に作用して課題を解決するかを図面を参照しながら概説する。
【００１２】
図６に示されるようにワイヤー取り付け装置１は、ケース１０内にワイヤー２０と、ワイヤー巻き取り用ドラム３０と、当該ワイヤー巻き取り用ドラム３０をワイヤー巻き取り方向に付勢するゼンマイばね構造体４０とを備えるものである。
【００１３】
ケース１０に設けた孔部１３aからケース１０外に伸びるワイヤー２０を下方に引張ると、ワイヤー巻き取り用ドラム３０は回転し、ワイヤー２０は下方に伸長・排出されることになる。他方でゼンマイばね構造体４０によりワイヤー２０はケース１０内に巻き取られる方向で付勢されている。
【００１４】
図１は本考案にかかるタペストリー吊り下げ具を、天井面Ｔに設置した状態を示すものである。天井面Ｔに二個設置されたワイヤー取り付け装置１，１のワイヤー２０，２０それぞれの端部には、取付部材５０が掛け渡されている。上述の通りワイヤー２０を下方に引張ると、ワイヤー２０は下方に伸長・排出されることから、取付部材５０を下方に引張ると、取り付け部材５０も下方に移動する。つまりは、例えば鉤を備えた棒部材で床面から当該鉤を取り付け部材５０に引掛け、下方に引張れば、取り付け部材５０を簡単に遊技施設の床面近傍まで引き降ろすことが可能となる。
【００１５】
そして、この取り付け部材５０には、タペストリーを吊り下げることが可能であることから、本考案によれば安全且つ簡単にタペストリーの交換を行うことが可能となるのである。
【図面の簡単な説明】
【００１６】
【図１】本考案の実施状態を示す説明図
【図２】ワイヤー取り付け装置の正面図
【図３】同、平面図
【図４】同、底面図
【図５】同、左側面図
【図６】図２におけるＡ−Ａ線断面図
【図７】ワイヤー取り付け装置の一部破断説明図
【考案を実施するための形態】
【００１７】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１８】
本考案にかかるタペストリー吊り下げ具は、図１に示すように複数のワイヤー取り付け装置１と、当該ワイヤー取り付け装置１を構成するワイヤー２０の一方端間に掛け渡される取り付け部材５０とにより成るものである。
【００１９】
ワイヤー取り付け装置１は、図３や図４に示すように、ケース１０を構成する上蓋１２に設けた孔部１２ａにネジを貫通させることで天井面に固定するものである。
【００２０】
図６に示されるようにワイヤー取り付け装置１は、ケース１０内にワイヤー２０と、ワイヤー巻き取り用ドラム３０と、当該ワイヤー巻き取り用ドラム３０をワイヤー巻き取り方向に付勢するゼンマイばね構造体４０とを備えるものである。
【００２１】
図２乃至図６に示すように、ケース１０は、中空の箱状体１１と、箱状体１１の上部開放面に被せられる上蓋１２と、箱状体１１の下部開放面に被せられる下蓋１３とにより成る。上蓋１２は、両端が垂直方向に折曲された板状体であり、その長手方向長さは箱状体１１の長手方向長さよりも長尺に形成されている。したがって箱状体１１の上部開放面に被せた際に、箱状体１１外に延出する部分が生じ、当該両側に延出した部分に孔部１２ａが設けられている。下蓋１３は両端が垂直方向に折曲された板状体であり、その長手方向長さは、箱状体１１の長手方向長さと略同一である。下蓋１３にはケース１０から外部にワイヤー２０を引き出すための孔部１３ａが設けられている。
【００２２】
図６に示すように、箱状体１１の両側壁にわたって軸１４が固定されている。この軸１４を回転軸として、円筒形状の回転体１５が回転し、当該回転体１５に固定されたワイヤー巻き取り用ドラム３０及びゼンマイばね構造体４０が回転可能となるのである。
【００２３】
図６に示すように、ワイヤー巻き取り用ドラム３０はボビン形状を呈するものであり、その中央の円筒形状部３１に回転体１５が挿入されると共に、円筒形状部３１において回転体１５とワイヤー巻き取り用ドラム３０は固定されている。円筒形状部３１には円盤部３２が一体的に設けられており、当該円盤部３２の周縁は断面コ字状のワイヤー収納部３３が形成されている。このワイヤー収納部３３にはワイヤー２０が巻き取り収納されており、ワイヤー２０の一方端は上述の通り孔部１３ａからケース１０外に延出するものである。
【００２４】
図６に示すように、ゼンマイばね構造体４０は２枚の円盤体４１，４１間にゼンマイばね４２を介在させたものである。円盤体４１の中心には円筒形状部４３が設けられており、円筒形状部４３において回転体１５とゼンマイばね構造体４０とは固定されている。
【００２５】
また、円筒形状部４３と２枚の円盤体４１，４１は一体に設けられている。
【００２６】
ゼンマイばね４２はその一方端４２ａが円盤体４１に固定されており、他方端４２ｂは円筒形状部４３に設けた切欠き４３ａと回転体１５に設けた切欠き１５ａを通過して軸１４に固定されている。かかる構造により、ゼンマイばね４２は回転体１５を介して、ワイヤー巻き取り用ドラム３０に、ワイヤー２０を巻き取る方向に付勢することが可能となるものである。
【００２７】
以上のワイヤー巻き取り用ドラム３０やゼンマイばね構造体４０の構造はむろん一例であり、汎用のゼンマイばねを用いたワイヤーその他の長尺物の巻き取り装置で代用可能なものである。
【００２８】
ワイヤー２０の先端にはフック２１が取り付けらている。図１に示されるように、このフック２１に係止して、棒状の取り付け部材５０がワイヤー２０に取り付けられるものである。取り付け部材５０はアルミ合金などの軽量材料で形成された中空の棒状体であり、図示されない孔部にフック２１を差し込んで係止するものである。
【符号の説明】
【００２９】
１０・・ケース
２０・・ワイヤー
３０・・ワイヤー巻き取り用ドラム
４０・・ゼンマイばね構造体
５０・・取り付け部材
【図１】
0003208639.tif 000003
【図２】
0003208639.tif 000004
【図３】
0003208639.tif 000005
【図４】
0003208639.tif 000006
【図５】
0003208639.tif 000007
【図６】
0003208639.tif 000008
【図７】
0003208639.tif 000009